(57)【要約】【課題】別途のバリ取り工程の省略が可能となる研磨部材を提供する。【解決手段】砥石１０は、外周面に、研磨面１０ａを有し、ブラシ１１は、砥石１０の端面の少なくとも外周縁部に設けられている。そして、この研磨部材１で被研磨部材２を研磨する際、研磨部材１の砥石１０の研磨面１０ａで、被研磨部材２の被研磨面２０を研磨しながら、研磨部材１のブラシ１１で、被研磨部材２の凹面２１を研磨することができる。これにより、被研磨面２０の研磨工程時に、被研磨面２０と凹面２１との境のバリを同時に除去することができる。【選択図】図３
2015003367.tif 000002
【特許請求の範囲】
【請求項１】
外周面に研磨面を有する円盤状の砥石と、
上記砥石の軸方向の少なくとも一方の端面に設けられたブラシと
を備え、
上記ブラシは、上記砥石の端面の少なくとも外周縁部に設けられていることを特徴とする研磨部材。
【請求項２】
請求項１に記載の研磨部材において、
上記ブラシは、
繊維と、
この繊維に付着された研磨剤と
を有することを特徴とする研磨部材。
【請求項３】
被研磨面とこの被研磨面に連接された凹面とを含む被研磨部材を、請求項１または２に記載の研磨部材で、研磨する方法であって、
上記研磨部材の上記砥石の上記研磨面で、上記被研磨部材の上記被研磨面を研磨しながら、上記研磨部材の上記ブラシで、上記被研磨部材の上記凹面を研磨することを特徴とする研磨方法。
【発明の詳細な説明】
【技術分野】
【０００１】
この発明は、研磨部材および研磨方法に関する。
【背景技術】
【０００２】
従来、研磨部材としては、特開２０１０−１４９２４０号公報（特許文献１）に記載されたものがある。この研磨部材は、円盤状の砥石であり、この砥石は、外周面に、研磨面を有する。
【先行技術文献】
【特許文献】
【０００３】
【特許文献１】特開２０１０−１４９２４０号公報
【発明の概要】
【発明が解決しようとする課題】
【０００４】
ところで、上記従来の砥石を用いて、被研磨部材を研磨しようとすると、次の問題がある。
【０００５】
図５に示すように、被研磨部材１００は、被研磨面１０１と、この被研磨面１０１の両端に連接された凹面１０２とを含む。凹面１０２は、ヌスミや溝などである。そして、砥石１１０を軸Ｌを中心として回転させながら、砥石１１０の外周の研磨面１１１で、被研磨部材１００の被研磨面１０１を研磨する。このとき、図６に示すように、被研磨面１０１と凹面１０２との境のエッジ部には、微小なバリＢが残る場合が多い。このため、別途、バリ取り工程が必要となる。
【０００６】
そこで、この発明の課題は、別途のバリ取り工程の省略が可能となる研磨部材および研磨方法を提供することにある。
【課題を解決するための手段】
【０００７】
上記課題を解決するため、この発明の研磨部材は、
外周面に研磨面を有する円盤状の砥石と、
上記砥石の軸方向の少なくとも一方の端面に設けられたブラシと
を備え、
上記ブラシは、上記砥石の端面の少なくとも外周縁部に設けられていることを特徴としている。
【０００８】
この発明の研磨部材によれば、上記砥石は、外周面に、研磨面を有し、上記ブラシは、砥石の端面の少なくとも外周縁部に設けられている。そして、この研磨部材で被研磨部材を研磨する際、研磨部材の砥石の研磨面で、被研磨部材の被研磨面を研磨しながら、研磨部材のブラシで、被研磨部材の凹面を研磨することができる。これにより、被研磨面の研磨工程時に、被研磨面と凹面との境のバリを同時に除去することができる。したがって、別途のバリ取り工程の省略が可能となる。
【０００９】
また、一実施形態の研磨部材では、
上記ブラシは、
繊維と、
この繊維に付着された研磨剤と
を有する。
【００１０】
この実施形態の研磨部材によれば、上記ブラシは、研磨剤を有するので、被研磨部材のバリの除去が一層容易となる。
【００１１】
また、この発明の研磨方法は、
被研磨面とこの被研磨面に連接された凹面とを含む被研磨部材を、請求項１または２に記載の研磨部材で、研磨する方法であって、
上記研磨部材の上記砥石の上記研磨面で、上記被研磨部材の上記被研磨面を研磨しながら、上記研磨部材の上記ブラシで、上記被研磨部材の上記凹面を研磨することを特徴としている。
【００１２】
ここで、被研磨部材の凹面とは、例えば、ヌスミや溝などであり、被研磨面を研磨する際に必要となる部分である。
【００１３】
この発明の研磨方法によれば、上記研磨部材の砥石の研磨面で、上記被研磨部材の被研磨面を研磨しながら、上記研磨部材のブラシで、上記被研磨部材の凹面を研磨する。これにより、被研磨面の研磨工程時に、被研磨面と凹面との境のバリを同時に除去することができる。したがって、別途のバリ取り工程の省略が可能となる。
【発明の効果】
【００１４】
この発明の研磨部材によれば、上記砥石は、外周面に、研磨面を有し、上記ブラシは、砥石の端面の少なくとも外周縁部に設けられている。この研磨部材で被研磨部材を研磨する際、研磨部材の砥石の研磨面で、被研磨部材の被研磨面を研磨しながら、研磨部材のブラシで、被研磨部材の凹面を研磨することができる。したがって、別途のバリ取り工程の省略が可能となる。
【００１５】
この発明の研磨方法によれば、上記研磨部材の砥石の研磨面で、上記被研磨部材の被研磨面を研磨しながら、上記研磨部材のブラシで、上記被研磨部材の凹面を研磨する。したがって、別途のバリ取り工程の省略が可能となる。
【図面の簡単な説明】
【００１６】
【図１】本発明の一実施形態の研磨部材を示す正面図である。
【図２】研磨部材の側面図である。
【図３】研磨部材による研磨方法を説明する説明図である。
【図４】図３のＡ部の拡大図である。
【図５】従来の研磨部材による研磨方法を説明する説明図である。
【図６】図５のＡ部の拡大図である。
【発明を実施するための形態】
【００１７】
以下、この発明を図示の実施の形態により詳細に説明する。
【００１８】
図１は、この発明の一実施形態の研磨部材を示す正面図である。図２は、研磨部材の側面図である。図１と図２に示すように、研磨部材１は、砥石１０とブラシ１１とを有する。砥石１０は、円盤状であり、その外周面に研磨面１０ａを有する。研磨面１０ａは、ダイヤモンドなどの砥粒を含む。ブラシ１１は、砥石１０の軸Ｌ方向の両端面に設けられている。
【００１９】
上記ブラシ１１は、砥石１０の端面から、軸Ｌ方向外側に、かつ、径方向外側に向かって、延びている。ブラシ１１は、砥石１０の端面において、この端面の半径をＲとしたとき、Ｒ／２からＲの範囲に存在する。ブラシ１１は、砥石１０の端面の周方向に連続的に、設けられている。つまり、ブラシ１１は、砥石１０の端面の少なくとも外周縁部に設けられている。
【００２０】
上記ブラシ１１は、複数の繊維と、各繊維に付着された研磨剤とを有する。繊維は、弾性と張りとを有する部材からなり、例えば、樹脂ファイバや鉄線からなる。つまり、繊維は、研磨部材１が軸Ｌを中心として回転したとき、遠心力で径方向外側に広がる一方、研磨部材１の回転が止まったとき、径方向内側に狭まった元の姿勢に戻る。研磨剤は、ダイヤモンドなどの砥粒を含み、接着剤により繊維に付着される。
【００２１】
次に、図３を用いて、上記構成の研磨部材１により、被研磨部材２を研磨する方法を、説明する。
【００２２】
図３に示すように、被研磨部材２は、被研磨面２０と、この被研磨面２０の両端に連接された凹面２１とを含む。被研磨部材２は、例えば、円筒ころ軸受やフランジなどであり、被研磨面２０と凹面２１とを含む部材であれば、どのような部材であってもよい。
【００２３】
上記被研磨面２０は、砥石１０の研磨面１０ａによって、研磨される面である。上記凹面２１は、被研磨面２０よりも窪んだ面である。凹面２１は、被研磨面２０を研磨する際に必要となる部分である。凹面２１は、例えば、研磨面１０ａの角部が被研磨面２０に転写されないようにするためのヌスミや逃げ溝である。
【００２４】
まず、上記研磨部材１の端面の中央に、図示しない回転軸を取り付け、この回転軸を駆動して、研磨部材１を、軸Ｌを中心として回転させる。これにより、研磨部材１のブラシ１１は、研磨部材１の回転による遠心力で、径方向外側に広がる。
【００２５】
そして、上記研磨部材１の砥石１０の研磨面１０ａを、上記被研磨部材２の被研磨面２０に当接させ、研磨部材１を、被研磨部材２に対して、軸Ｌ方向に相対的に往復動させる。
【００２６】
これにより、上記研磨部材１の砥石１０の研磨面１０ａで、上記被研磨部材２の被研磨面２０を研磨しながら、研磨部材１のブラシ１１で、被研磨部材２の凹面２１を研磨する。すると、図４に示すように、被研磨面２０と凹面２１との境の（仮想線で示す）バリＢは、ブラシ１１により、除去される。
【００２７】
なお、上記研磨作業により、上記砥石１０の研磨面１０ａは、摩耗していき、それに伴って、上記ブラシ１１は、抜け落ちる。しかし、ブラシ１１は、砥石１０の端面のＲ／２からＲの範囲に存在しているため、新たなブラシ１１により凹面２１を研磨することができる。
【００２８】
上記研磨部材１による研磨終了後、研磨部材１の回転を止める。すると、ブラシ１１は、径方向外側に広がった姿勢から、径方向内側に狭まった元の姿勢に戻る。これにより、ブラシ１１は、砥石１０の研磨面１０ａと被研磨部材２の被研磨面２０との間に、挟み込まれない。したがって、ブラシ１１は、被研磨面２０の仕上げに悪影響を与えない。この研磨部材１による研磨工程は、いわゆる超仕上げ工程の前に、行われるようにしてもよい。
【００２９】
上記構成の研磨部材１によれば、上記砥石１０は、外周面に、研磨面１０ａを有し、上記ブラシ１１は、砥石１０の端面の少なくとも外周縁部に設けられている。そして、この研磨部材１で被研磨部材２を研磨する際、研磨部材１の砥石１０の研磨面１０ａで、被研磨部材２の被研磨面２０を研磨しながら、研磨部材１のブラシ１１で、被研磨部材２の凹面２１を研磨することができる。これにより、被研磨面２０の研磨工程時に、被研磨面２０と凹面２１との境のバリＢを同時に除去することができる。したがって、別途のバリ取り工程の省略が可能となる。
【００３０】
また、上記ブラシ１１は、研磨剤を有するので、被研磨部材２のバリＢの除去が一層容易となる。
【００３１】
上記構成の研磨方法によれば、上記研磨部材１の砥石１０の研磨面１０ａで、上記被研磨部材２の被研磨面２０を研磨しながら、上記研磨部材１のブラシ１１で、上記被研磨部材２の凹面２１を研磨する。これにより、被研磨面２０の研磨工程時に、被研磨面２０と凹面２１との境のバリＢを同時に除去することができる。したがって、別途のバリ取り工程の省略が可能となる。
【００３２】
なお、この発明は上述の実施形態に限定されない。本発明の要旨を逸脱しない範囲で設計変更可能である。
【００３３】
上記実施形態では、ブラシを、砥石の軸方向の両端面に設けていたが、砥石の軸方向の一方の端面に設けるようにしてもよい。この場合、被研磨部材の一方の凹面をブラシで研磨したあと、研磨部材または被研磨部材を反転させてから、被研磨部材の他方の凹面をブラシで研磨する。
【００３４】
上記実施形態では、ブラシを、砥石の端面のＲ／２からＲの範囲に設けていたが、３Ｒ／４からＲの範囲や、０からＲの範囲など、砥石の端面の少なくとも外周縁部に設けるようにしてもよい。
【００３５】
上記実施形態では、ブラシを、砥石の端面の周方向に連続的に設けていたが、砥石の端面の周方向に間欠的に設けるようにしてもよい。
【００３６】
上記実施形態では、ブラシの繊維に研磨剤を付着していたが、研磨剤を付着せずに繊維のみとしてもよい。
【００３７】
上記実施形態では、被研磨部材として、被研磨面の両端に凹面を有する部材としたが、被研磨面および凹面を少なくとも一つずつ含む部材であれば、円筒ころ軸受やフランジなど、その他どのような部材であってもよい。
【符号の説明】
【００３８】
１  研磨部材
１０  砥石
１０ａ  研磨面
１１  ブラシ
２  被研磨部材
２０  被研磨面
２１  凹面
Ｂ  バリ
Ｌ  砥石の軸
Ｒ  砥石の端面の半径
【図１】
2015003367.tif 000003
【図２】
2015003367.tif 000004
【図３】
2015003367.tif 000005
【図４】
2015003367.tif 000006
【図５】
2015003367.tif 000007
【図６】
2015003367.tif 000008